(57)【要約】【課題】本発明は、床面に対して垂直回動可能な可動式手すりを所定の位置に保持しても、ぐらつきが少なく、保持できる所定の位置の変更も安価な製造費用で容易にできる構造を有する可動手すりを提供することを目的とする。【解決手段】壁面に固定するブラケットから突設される略Ｕ字形状の握り部材と、前記ブラケットに設置され前記握り部材を床面に対して垂直回動可能にする固定軸と、床面に対して垂直回動可能な前記握り部材を所定の位置に保持する係止部と、前記係止部を作動する操作部材を有する可動式手すりにおいて、前記係止部が、前記固定軸に固定された１以上の略テーパ形状の嵌合溝を有する嵌合プレートと前記嵌合溝と１以上の略テーパ形状の凸部で嵌合するストッパーとからなることとし、また、嵌合溝を有する前記嵌合プレートの設置角度により握り部材の保持可能な位置を変更できる構成とした。【選択図】  図４
2004353364.tif 000002
【特許請求の範囲】
【請求項１】
壁面に固定するブラケットから突設される略Ｕ字形状の握り部材と、前記ブラケットに設置され前記握り部材を床面に対して垂直回動可能にする固定軸と、床面に対して垂直回動可能な前記握り部材を所定の位置に保持する係止部と、前記係止部を作動する操作部材を有する可動式手すりにおいて、
前記係止部が、前記固定軸に固定された１以上の略テーパ形状の嵌合溝を有する嵌合プレートと前記嵌合溝と１以上の略テーパ形状の凸部で嵌合するストッパーとからなることを特徴とする可動式手すり。
【請求項２】
前記垂直回動可能な可動式手すりにおいて、
嵌合溝を有する前記嵌合プレートの前記固定軸への設置角度を変更することにより、前記握り部材の係止可能な位置を変更できることを特徴とする可動式手すり。
【請求項３】
壁面に固定するブラケットから突設される略Ｕ字形状の握り部材と、前記ブラケットに設置され前記握り部材を床面に対して垂直回動可能にする固定軸と、前記握り部材の重量のバランスをとるばねと、床面に対して垂直回動可能な前記握り部材を所定の位置に保持する係止部と、前記係止部を作動する操作部材を有する可動式手すりにおいて、
前記握り部材の重量のバランスを取るばねを変更せず、前記握り部材の重量を調整する重りを前記握り部材内に設けたことを特徴とする可動式手すり。
【発明の詳細な説明】
【０００１】
【発明の属する技術分野】
本発明は、車イス等を使用する身体障害者が、トイレ等を利用する場合に用いる握り部材を垂直方向に回動可能な可動式手すりに関する。
【０００２】
【従来の技術】
身体障害者や高齢者の使用に配慮している公共施設や民間施設のトイレブースでは、身体障害者の障害の度合いや高齢者の体力低下の度合いに個人差がある為、また、介助者が身体障害者を介助することがある為、大多数の使用者が使用できるようにトイレブース内に可動式手すりを設けることが一般的に行われている。
【０００３】
例えば、図１１に示すトイレブースにおいて、車椅子使用者の場合、衛生陶器の左右どちらかの一方または両側に可動式手すりを設置することにより、衛生陶器と車椅子間の移乗時に可動式手すりを移乗の障害とならない位置まで使用者又は介助者が可動させ、衛生陶器と車椅子間の移乗を行いやすくすることができる。
また、衛生陶器へ移乗後には、可動式手すりを衛生陶器に近付け、排泄時の使用者の座位を安定させ、使用者がふらつくなどの場合につかまり、倒れるなどの危険を防止することができる。
【０００４】
従来の握り部材を垂直に回動させることのできる可動式手すりとしては、図１２に示すような握り部材の垂直回動を規制するストッパー構造を有し、握り部材の中央部に操作レバーを配置し、操作レバーを操作することによりストッパーを解除し、垂直回動を可能とする可動式手すりがある。
【０００５】
その構成は、端部を回転軸に連結している握り部材と、回転軸を支持するブラケットよりなり、ブラケットの側面垂直翼片には複数の嵌合溝を設け、回転軸の内部に嵌合溝に勘合するストッパーが配置されている。ストッパーは握り部材内の１本の連結部材を介して、握り部材の中央部に配置されている操作レバーに連結されている。操作レバーには、握り部材の中央部側面に設けられている連結部材と接続する為の引き出し用長孔を完全に覆う筒状カバーが設けられ、操作レバーの可動範囲にて引き出し用長孔が外部に露出しない構造を形成している（たとえば、特許文献１を参照のこと。）。
【０００６】
【特許文献１】
特開２０００−４１９０３号公報
【０００７】
【発明が解決しようとする課題】
しかしながら、従来の握り部材を垂直に回動させることのできる可動式手すりでは、握り部材を係止する為に設けている複数の嵌合溝と、嵌合溝に嵌合するストッパー部材を設けているが、従来の形状では嵌合溝とストッパー部材の間には嵌合をスムーズに行う程度の隙間を設ける必要がある。この隙間を大きく設けるほど可動式手すりのぐらつきも大きくなる為、使用者が不安を感じてしまうことがあるという課題を有していた。
【０００８】
また、従来の握り部材を垂直に回動させることのできる可動式手すりにおいて、Ｕ字形状の握り部材の係止可能な位置を変更するには、側面垂直翼片に嵌合溝の追加や削除を行う必要があり、多大な費用が発生するという課題を有していた。
【０００９】
また、従来の握り部材を垂直に回動させることのできる可動式手すりにおいて、ばねを使用して握り部材を回動する可動式手すりの場合、ばねのモーメントと握り部材のモーメントのバランスをとることにより、握り部材を回動する際の操作する力を軽くすることができるが、握り部材の長さが変わると握り部材のモーメントが変わり、ばねのモーメントを変更する必要があり、握り部材の長さの数に合せてばねの数も揃えるなければならないという課題を有していた。
【００１０】
そこで、本発明は上記の問題点を解決するためなされたもので、垂直回動可能な可動式手すりを所定の位置に保持しても、ぐらつきが少なく、保持できる所定の位置の変更も安価な製造費用で容易にでき、握り部材の長さで変化する握り部材のモーメントとのバランスを容易にとることができる構造を有する可動手すりを提供することを目的とする。
【００１１】
【課題を解決するための手段】
本発明の請求項１では、壁面に固定するブラケットから突設される略Ｕ字形状の握り部材と、前記ブラケットに設置され前記握り部材を床面に対して垂直回動可能にする固定軸と、床面に対して垂直回動可能な前記握り部材を所定の位置に保持する係止部と、前記係止部を作動する操作部材を有する可動式手すりにおいて、前記係止部が、前記固定軸に固定された１以上の略テーパ形状の嵌合溝を有する嵌合プレートと前記嵌合溝と１以上の略テーパ形状の凸部で嵌合するストッパーとからなることを特徴とする可動式手すりとした。
これにより、可動式手すりのぐらつきが少なく、使用者が安心して使用できる可動式手すりを提供することができる。
【００１２】
請求項２では、前記垂直回動可能な可動式手すりにおいて、嵌合溝を有する前記嵌合プレートの前記固定軸への設置角度を変更することにより、前記握り部材の係止可能な位置を変更できることを特徴とする可動式手すりを提供する。
これにより、安価な費用でお客様の使用状況に合わせて係止位置を変更できる可動式手すりの構造を提供することができる。
【００１３】
請求項３は、壁面に固定するブラケットから突設される略Ｕ字形状の握り部材と、前記ブラケットに設置され前記握り部材を床面に対して垂直回動可能にする固定軸と、前記握り部材の重量のバランスをとるばねと、床面に対して垂直回動可能な前記握り部材を所定の位置に保持する係止部と、前記係止部を作動する操作部材を有する可動式手すりにおいて、
前記握り部材の重量のバランスを取るばねを変更せず、前記握り部材の重量を調整する重りを前記握り部材内に設けたことを特徴とする可動式手すりとした。
これにより、可動式手すりの部品を共通化することができ、安価な可動式手すりの構造を提供することができる。
【００１４】
【発明の実施の形態】
以下に図面を参照して本発明をより具体的に説明する。
図１から図８は本発明の一実施形態に係る可動式手すりを示しており、図１は側面図を、図２は平面図を、図３は正面図を、図４は図１側面図の一部省略断面側面図を示している。
【００１５】
図に示すように、可動式手すり１は、壁である取付面２に対して垂直に突出してブラケット３により保持される。ブラケット３は左支持部４と右支持部５からなり、この左支持部４と上支持部５の間に固定された固定軸４９を中心に握り部材７の回転軸６が回動自在な構造になっており、握り部材７が垂直回動可能である。さらにこの回動を所定の位置に保持するための係止部であるストッパー部材８が回転軸６内と握り部材７内に設けられている。
【００１６】
図１における実線で示した握り部材７は床面１１に対して平行な状態を示し、二点鎖線で示した握り部材７の位置４１は握り部材７を垂直上方に回動し、床面１１に対して垂直な状態を示している。
【００１７】
また、握り部材７にはストッパー部材８を操作する操作部が設けられいる。使用者はこの操作部材を操作しストッパー部材８を動作させ、所定の位置に握り部材７を保持できる。
【００１８】
握り部材７は略Ｕ字形状で、上杆部１７にストッパー部材８の一部、連結部材９及び操作部材１０の一部が内蔵され、操作部材１０の操作レバー１４は握り部材７の開口部１２から突出し、ストッパー部材８は回転軸６内と握り部材７内に内蔵されている。
【００１９】
図４に示すように回転軸６内の嵌合プレート１３にはストッパー１５が係止する嵌合溝１６が４個所設けられ、操作レバー１４を取付面２と反対側にスライドすることによりストッパー１５の嵌合を解除し、握り部材７が垂直上方に回動可能となる。操作レバー１４を放すことにより、再度嵌合溝１６に嵌合させることができる。
【００２０】
本実施例において、握り部材７の操作部材１０Ｂの近傍、及び略Ｕ字形状の曲り部分７Ａはステンレス鋼管を軟質塩化ビニール樹脂で被覆している樹脂被覆管を使用し、操作部材１０、及び下杆部７Ｂはステンレス鋼管を使用しているが、握り部材７全体をステンレス鋼管のみ、又は、ステンレス鋼管以外の金属管を使用しても良く、樹脂被覆管のみとしても良い。また、被覆に使用する樹脂を軟質塩化ビニール樹脂ではなく、エラストマー等の樹脂材料を使用しても良い。また、握り部材７の断面形状は円形状であるが、楕円形状や四角形状、台形状としても良い。
【００２１】
一般的に、握り部材７が床面１１に対して垂直の状態で使用者が握り部材７を握るなどして使用することがほとんどなく、握り部材７が床面１１に対して平行な状態で使用される。したがって、図４において、嵌合溝１６を設けている嵌合プレート１３の設置角度は、握り部材７が床面１１に対して平行な状態となる位置のみとなるように設定している。
【００２２】
図４に示すように操作レバー１４は握り部材７の下方に突出しているが、開口部１２を握り部材７の軸に対して１８０度回転の位置に開口することにより上方に突出して設けることもでき、又、９０度、２７０度等回転の位置としても良い。
【００２３】
さらに詳しく係止部であるストッパー部材８の構造を説明する。
図５にストッパー部材８の詳細を示し、図６および図７にストッパー部材８の嵌合プレート１３の固定軸４９への設置角度を、それぞれ図５より９０度、１８０度反時計回りに変更している場合の詳細を示す。
図８には図５に示す回転軸６のＡ−Ａ断面図を、図９には嵌合溝１６の詳細図を、図１０にはストッパー１５の詳細図を示す。
【００２４】
図４及び図５に示すように、ストッパー部材８のストッパー１５は連結部材９の第一連結部材２６とねじにより接続し、ナット３９により固定している。更に、第一連結部材２６は樹脂製のリング２１により継手２２と接続し、継手２２は第二連結部材２４とねじにより接続し、ナット３９により固定している。この構造により、ストッパー１５は第一連結部材２６、第二連結部材２４を介して操作部材１０の可動部材２３に接続され、操作部材１０の操作レバー１４とストッパー部材８のストッパー１５は連動して可動できる構造としている。
【００２５】
ストッパー１５はストッパーガイド３７内に収納され、ストッパーガイド３７は更に、ストッパーガイドカバー４６に収納され、ストッパーガイド３７とストッパーガイドカバー４６は溶接により回転軸６に固定され、握り部材７は２本のボルト３６によりストッパーガイドカバー４６に接続されている。
【００２６】
ストッパー１５には鍔部４７が設けられ、ストッパーガイド３７内に弾性部材３５が収納され、弾性部材３５は可動部材緩衝リング３１によりストッパー１５を回転軸６側に押圧している。可動部材緩衝リング３１は樹脂製の為、ストッパー１５の可動を滑らかにすることにより操作力が低減でき、慴動音も低減することができる。
【００２７】
連結部材９の第一連結部材２６のストッパー１５との接続端面側、第二連結部材２４の継手２２との接続端面側にねじ３８を設けることにより、第一連結部材２６と第二連結部材２４と握り部材７の長さの加工誤差をねじ３８のねじ込み代により吸収でき、更に、ナット３９によりねじ固定することにより、緩みを防止することができる。また、握り部材７の長さが異なる場合でも、第一連結部材２６、又は、第二連結部材２４の長さを変更すること、又は、第一連結部材２６を省略することにより長さが異なる場合でも対応することが可能である。
【００２８】
図１０に示すようにストッパー１５の凸部３２の両側には各々７．５度のテーパ５１を設けている。図９に示すように回転軸６内の嵌合プレート１３に設けられている嵌合溝１６にも同様のテーパ５２を設けている。これにより凸部３２と嵌合溝１６間の隙間の発生を防止でき、嵌合を行い易い構造としている。
【００２９】
ストッパー１５及び嵌合プレート１３はステンレス製とし、図８に示すように、これらが勘合する凸部３２の幅４３は１９ｍｍ、嵌合溝１６の幅４４は１６ｍｍとし、握り部材７に力が加わっても十分な強度を持たせている。嵌合溝１６を設けている嵌合プレート１３は、厚み２ｍｍの同形状のプレートを８枚重ね合わせ、固定軸４９に挿入し、嵌合プレート１３と固定軸４９の間にピン５０を圧入し、幅４４を１６ｍｍにしている。また、８枚で構成せず、１枚で嵌合プレート１３を構成しても良い。
【００３０】
なお、嵌合の容易さからは、嵌合溝１６及び凸部３２の両側に設けられているテーパの角度は、１度から１０度の範囲が良い。１０度より大きくなると握り部材７の先端のぐらつきが大きくなる。
本実施例では、嵌合溝１６を加工する加工精度及び８枚の組立誤差等から、嵌合溝１６及び凸部３２のテーパ角度は７．５度としている。
【００３１】
また、嵌合部の強度からは、凸部３２の幅４３及び嵌合溝１６の幅４４は共に１５ｍｍ以上の鋼鉄製が良いが、本実施例ではさらに耐食性の向上を考えステンレス製としている。また、嵌合するストッパー１５の凸部３２を２つ以上としても良い。
【００３２】
ストッパー１５には凸部３２が設けられ、凸部３２をテーパとすること、凸部３２の幅４３、嵌合溝１６の幅４４は共に１５ｍｍ以上のステンレス製、又は鋼鉄製とすることにより、従来品に比べ嵌合部分の隙間の発生を防止することができ、握り部材７を固定している状態において十分な強度を持たせることができる。これにより、可動式手すりの握り部材７の先端のぐらつきを低減し、安全な可動式手すりを提供することができる。
【００３３】
また、使用者の安全を考慮し、握り部材７が図１に示す位置４１である床面１１に対して垂直の状態から、平行な状態まで自重により回動しない様に、図８に示すように回転軸６内に２本のばね４５を設け、２つのばね４５の合成モーメントと握り部材７の重量によるモーメントとのバランスを取ることにより、握り部材７が緩やかに可動する範囲と任意の位置で停止する範囲に分けることができる。更に、握り部材７の重量をばね４５にて支えることにより、握り部材を軽い力にて操作することができる構造としている。
【００３４】
なお、本実施例では、握り部材７が水平に対し６０度から９０度の範囲では握り部材７は位置４１まで緩やかに可動し、水平から６０度の範囲では握り部材７が任意の位置で停止可能となるように、握り部材７の重量によるモーメントと２つのばね４５の合成モーメントとのバランスを取っている。
【００３５】
握り部材７の長さが変わると握り部材７のモーメントが変わる為、２つのばね４５の合成モーメントを変更する必要がある。握り部材７内、例えば、ボルト２９の大きさを変えて重量を変更することやこのボルト２９とは別に握り部材７内に重りを設けることにより、握り部材７全体の重量によるモーメントを一定に調整することができる。
これによりばね４５を１種類揃えるだけで握り部材７の長さ違いに対応することができ、可動式手すりの部品を共通化することができ、安価な構造とすることができる。
【００３６】
使用者によっては、図７に示す位置４１や位置４２に握り部材７が保持されている状態にて、握り部材７を握る等して使用する場合もある。
図６は嵌合プレート１３の固定軸４９への設置角度を図５に示した位置から９０度左回りに変更している場合であり、床面１１に対して平行な位置と垂直な位置４１にて握り部材７を保持することができ、図７は嵌合プレート１３の設置角度を図５に示した位置から１８０度左回りに変更している場合であり、床面１１に対して平行な位置と位置４１及び位置４２にて握り部材７を保持することができる。
したがって、嵌合プレート１３の固定軸４９への設置角度を変更することにより、握り部材７の係止可能な位置を容易に変更することができる。
【００３７】
固定軸４９のブラケット３への固定は、従来品ではブラケット３の左支持部４と右支持部５の両側より回転の中心である回転軸６の軸位置でボルト等により固定しているが、握り部材７の回動操作の振動によるボルトの緩みや脱落の可能性がある。図８のように回転軸６の軸以外の位置でボルト４０により固定軸４９をブラケット３に固定すると、握り部材７の回動操作の振動によりボルト４０が緩みや脱落の可能性がなく、使用者が安心して可動式手すりを使用することができる。
更に、ボルト４０を露出させると悪戯などによりボルト４０を外されたり、意匠性が悪い為、カバー４８にてボルト４０を覆い、意匠性、安全性を向上している。
【００３８】
上記の構成により、握り部材７を回動させる為には、操作部材１０の操作レバー１４を弾性部材１８の押圧力に抗して取付面２と反対側にスライド移動させる。操作レバー１４を取付面２と反対側へ移動させると、連結部材９を介して、ストッパー部材８のストッパー１５が取付面２と反対側へ移動し、嵌合プレート１３の嵌合溝１６からストッパー１５が外れる。
嵌合溝１６とストッパー１５の嵌合が解除されると、握り部材７は垂直面内で回動自在となる。凸部３２と嵌合溝１６とが嵌合できる位置で操作レバー１４を放すと、弾性部材１８の弾性力により操作部材１０の可動部材２３が取付面２側へ移動し、連結部材９を介して、ストッパー部材８のストッパー１５が取付面２側へ移動し、嵌合プレート１３の嵌合溝１６へ嵌合する。ストッパー１５が嵌合溝１６へ嵌合すると握り部材７を保持することができる。
また、嵌合溝１６を設けていない位置で操作レバー１４を放すと、握り部材７の重量と回転軸６に内蔵されている２つのばね４５の合成モーメントとのバランスを取っているため、可動範囲内において握り部材７が緩やかに可動し、任意の位置で停止することができる。
【００３９】
【発明の効果】
本発明は上記構成により次の効果を発揮する。
請求項１は、壁面に固定するブラケットから突設される略Ｕ字形状の握り部材と、前記ブラケットに設置され前記握り部材を床面に対して垂直回動可能にする固定軸と、床面に対して垂直回動可能な前記握り部材を所定の位置に保持する係止部と、前記係止部を作動する操作部材を有する可動式手すりにおいて、前記係止部が、前記固定軸に固定された１以上の略テーパ形状の嵌合溝を有する嵌合プレートと前記嵌合溝と１以上の略テーパ形状の凸部で嵌合するストッパーとからなることとすることにより、前記嵌合溝と前記凸部の間に隙間が発生しない構造とすることができ、これにより、可動式手すりのぐらつきが少なく、使用者が安心して使用できる可動式手すりの構造を提供できる。
【００４０】
請求項２は、前記垂直回動可能な可動式手すりにおいて、嵌合溝を有する前記嵌合プレートの前記固定軸への設置角度を変更することにより、前記握り部材の係止可能な位置を容易に変更でき、安価な費用でお客様の使用状況に合わせて保持位置を変更できる可動式手すりの構造を提供できる。
【００４１】
請求項３は、壁面に固定するブラケットから突設される略Ｕ字形状の握り部材と、前記ブラケットに設置され前記握り部材を床面に対して垂直回動可能にする固定軸と、前記握り部材の重量のバランスをとるばねと、床面に対して垂直回動可能な前記握り部材を所定の位置に保持する係止部と、前記係止部を作動する操作部材を有する可動式手すりにおいて、前記握り部材の重量のバランスを取るばねを変更せず、前記握り部材の重量を調整する重りを前記握り部材内に設けて、前記握り部材のモーメントを一定とすることにより前記握り部材の長さ違いに対応可能とし、可動式手すりの部品を共通化することができ、安価な可動式手すりの構造を提供できる。
【図面の簡単な説明】
【図１】本件発明の一実施の形態である可動式手すりの側面図を示す。
【図２】本件発明の一実施の形態である可動式手すり１の平面図を示す。
【図３】本件発明の一実施の形態である可動式手すり１の正面図を示す。
【図４】本件発明の一実施の形態である可動式手すりの１一部省略断面側面図を示す。
【図５】本件発明の一実施の形態である可動式手すり１のストッパー部材８の断面側面図を示す。
【図６】嵌合プレートの固定軸への設置角度を図５の状態より反時計回りに９０度変更した場合の断面側面図を示す。
【図７】嵌合プレートの固定軸への設置角度を図５の状態より反時計回りに１８０度変更した場合の断面側面図を示す。
【図８】本件発明の一実施の形態である可動式手すり１の図５のＡ−Ａ断面上面図を示す。
【図９】本件発明の一実施の形態である可動式手すり１の嵌合溝１６の詳細図を示す。
【図１０】本件発明の一実施の形態である可動式手すり１のストッパー１５の断面詳細図を示す。
【図１１】一般的なトイレブースの斜視図を示す。
【図１２】従来品の側面図を示す。
【符号の説明】
１  可動式手すり
２  取付面
３  ブラケット
４  左支持部
５  右支持部
６  回転軸
７  握り部材
７Ａ  曲り部
７Ｂ  下杆部
８  ストッパー部材
９  連結部材
１０  操作部材
１１  床面
１３  嵌合プレート
１４  操作レバー
１５  ストッパー
１６  嵌合溝
１７  上杆部
１８  弾性部材
２１  リング
２２  継手
２３  可動部材
２４  第二連結部材
２６  第一連結部材
２９  ボルト
３２  凸部
３５  弾性部材
３６  ボルト
３７  ストッパーガイド
３８  ねじ
３９  ナット
４０  ボルト
４１  位置
４２  位置
４３  幅
４４  幅
４５  ばね
４６  ストッパーガイドカバー
４７  鍔部
４８  カバー
４９  固定軸
５０  ピン
５１  テーパ
５２  テーパ
【図１】
2004353364.tif 000003
【図２】
2004353364.tif 000004
【図３】
2004353364.tif 000005
【図４】
2004353364.tif 000006
【図５】
2004353364.tif 000007
【図６】
2004353364.tif 000008
【図７】
2004353364.tif 000009
【図８】
2004353364.tif 000010
【図９】
2004353364.tif 000011
【図１０】
2004353364.tif 000012
【図１１】
2004353364.tif 000013
【図１２】
2004353364.tif 000014